(57)【特許請求の範囲】
【請求項１】
下降可能な嵌込天井板の上面中央部に、送水管の主弁に接続した消防ホース巻取ドラムを遊転自在に支持し、嵌込天井板を張設天井板と同一平面内に支持する引掛金具を天井裏に設けた機枠側に設けてなり、引掛金具の引掛り及び上記主弁のパイロット弁を解除するボーデンワイヤのインナーを操作ハンドルで牽引するよう形成してなる天井設置消火栓。
【請求項２】
上記消防ホース巻取ドラムを嵌込天井板に遊転自在に支持する中空遊転ボスに消防ホースを接続し、該中空遊転ボスの中空軸受に中空多段シリンダーを伸縮自在に接続し、最上段中空シリンダーに送水管の主弁を接続し、上記中空多段シリンダー内に下降緩衝装置を配設してなる請求項(1) 記載の天井設置消火栓。
【請求項３】
上記巻取ドラムの外周にホース弛み防止柵を備えた正逆回動板を最下段中空シリンダーの下端に設け、中段及び下段中空シリンダーを正逆回動自在に支持してなる請求項(2) 記載の天井設置消火栓。
【請求項４】
上記嵌込天井板上面と上記巻取ドラムとの間に上記送水管を設け、該送水管の位置が上記巻取ドラムの中心部より偏心し、該送水管の両端部を機枠に軸支し、引掛金具を機枠に代り張設天井板側に設けてなる請求項(1)記載の天井設置消火栓。
【請求項５】
主弁に隔壁を介して横向開口部を設け、横向開口部をダイヤフラムで閉鎖し、ダイヤフラムの中央部に設けた通水小孔を発条の力で小弁で閉鎖し、かつ送水管に連通する通路からの背水圧を上記ダイヤフラムの背面に印加し、上記小弁を上記インナーによって発条に抗して牽引し、小弁を開くよう形成したパイロット弁を有する請求項(1)〜(4)のいずれか１項記載の天井設置消火栓。
【発明の詳細な説明】
【０００１】
【産業上の利用分野】
本発明は天井裏に設置した消火栓設備に関するものである。
【０００２】
【従来の技術】
従来、水平向きでホースだけの取出装置（実開平１−１８０２５３号）、水平設置のドラムがホース引出し時はホースのみ伸ばし、収納時には、ドラムが縦向回転する構造（実開平４−６１５６５号）等があって、加圧時、ホースの絡み等、異常な引出し荷重が生じる場合があり、ホースが落下するため安全性に問題があった。
【０００３】
又水平設置のドラムが、ホース引出し時はホースのみを伸ばし、収納時には、ドラムが縦向回転する構造のものがある（実開平４−６１５６５号）。しかし扉のヒンジが回転中心でドラム重心と距離があり、扉とヒンジに大きな剛性が必要であり、収納時力が必要である。全体の支持は、大きな荷重が作用する扉ヒンジ部が、天井スラブから遠くかつ偏っているので、支持が大掛かりとなる。
【０００４】
又扉が２つあり信頼性が劣り、かつドラムが横向きでのホースのみの引出しは、加圧時に絡みの心配がある。
【０００５】
【発明が解決しようとする課題】
本発明はドラムごと円滑に下降させ、ホースの取出し及び収納作業が容易でかつ下降ストロークを長くすることを目的とする。
又ドラムが横向きで天井裏の高さ方向スペースが少なく、ドラムが横向きから縦向きに回転するだけで、ホースの引出し収納を可能とし、
回転軸と配管が兼用され、重心までの回転半径が短く、回転トルクやラッチの保持力が少なくてすみ、収納作業が楽で、天井面からのドラム下降距離が少なく、天井面が低い現場でも対応可能で大掛かりとならず、取付施工を簡略化することを目的とする。
【０００６】
【課題を解決するための手段】
上記の目的を達成するため本発明は
下降可能な嵌込天井板の上面中央部に、送水管の主弁に接続した消防ホース巻取ドラムを遊転自在に支持し、嵌込天井板を張設天井板と同一平面内に支持する引掛金具を天井裏に設けた機枠側に設けてなり、引掛金具の引掛り及び上記主弁のパイロット弁を解除するボーデンワイヤのインナーを操作ハンドルで牽引するよう形成してなる天井設置消火栓
上記消防ホース巻取ドラムを嵌込天井板に遊転自在に支持する中空遊転ボスに消防ホースを接続し、該中空遊転ボスの中空軸受に中空多段シリンダーを伸縮自在に接続し、最上段中空シリンダーに送水管の主弁を接続し、上記中空多段シリンダー内に下降緩衝装置を配設してなる上記発明記載の天井設置消火栓
上記巻取ドラムの外周にホース弛み防止柵を備えた正逆回動板を最下段中空シリンダーの下端に設け、中段及び下段中空シリンダーを正逆回動自在に支持してなる上記第２発明記載の天井設置消火栓
上記嵌込天井板上面と上記巻取ドラムとの間に上記送水管を設け、該送水管の位置が上記巻取ドラムの中心部より偏心し、該送水管の両端部を機枠に軸支し、引掛金具を機枠に代り張設天井板側に設けてなる上記第１発明記載の天井設置消火栓
主弁に隔壁を介して横向開口部を設け、横向開口部をダイヤフラムで閉鎖し、ダイヤフラムの中央部に設けた通水小孔を発条の力で小弁で閉鎖し、かつ送水管に連通する通路からの背水圧を上記ダイヤフラムの背面に印加し、上記小弁を上記インナーによって発条に抗して牽引し、小弁を開くよう形成したパイロット弁を有する請求項上記第１〜第４発明のいずれか１項記載の天井設置消火栓
によって構成される。
【０００７】
【作用】
本発明では操作ハンドル８（図１０）を操作することによってボーデンワイヤのインナー７を牽引すると、引掛金具５が外れて消防ホース巻取ドラム４及び嵌込天井板１が張設天井板１’から外れて下降すると共に送水管２の主弁３のパイロット弁３’を開くから送水管２の主弁３が開かれ消防ホース１０を牽引すると巻取ドラム４が遊転してその先端から圧力水が放出され、これを室内の火元の近くから注水し消火することができる。
【０００８】
又ボーデンワイヤのインナー７を牽引することによって引掛金具５が外れて消防ホース巻取ドラム４及び嵌込天井板１が張設天井板１’からその重量で下降する。下降に際し、中段及び下段の中空多段シリンダー１２’、１２”が一定距離下降し、下降に際し下降緩衝装置１３、１３’により衝撃なく円滑に下降する。
【０００９】
上記巻取ドラム４の遊転に際しては該ドラム４に巻取られたホース１０はホース弛み防止柵１４に保持されて弛むことはなく弛んで垂れ下がることもない。そしてホース１０の先端ノズル２３を必要方向に牽引するとき該柵１４も回動して該方向に回動し該柵１４はホース１０の牽引方向変向に倣って回動するようになっている。
【００１０】
又図６〜図８では送水管２の両端部２’、２’を機枠６に軸支しているため、引掛金具５を解除すると上記巻取ドラム４及び嵌込天井板１は送水管２の両端部２’を中心に図６実線位置から同図仮想線位置に９０度回動下降し、次に送水管２の主弁３のパイロット弁３’を開き、それによって該主弁３を充分開き送水管２から圧力水をホース１０のノズル２３から注水する。ホース１０は人員が牽引して火元に到達し、その際上記巻取ドラム４は遊転しホース１０は火元の方向に延長される。
【００１１】
可撓ワイヤ７が牽引されると小弁２１は発条２０に抗してダイヤフラム１８の通水小孔１９を開き、送水管２に連通する通路２２からの背圧水が該小孔１９からダイヤフラム１８の主弁３側に流出し、それによってダイヤフラム１８は隔壁１６による横向開口部１７を開くから送水管２内の圧力水は横向開口部１７とダイヤフラム１８との間から主弁３の出口側に流入し主弁３は開かれる。小弁２１のついたスプール２１’には、内部に通路を介して背圧室２１”とつながっており、パイロット弁３’が開いた時、ダイヤフラム背面の圧力の影響を少なくするため、背圧室により圧力がつりあう構造になっている。
【００１２】
【実施例】
上下階を区切るコンクリートスラブ２４と該スラブ２４に懸垂固定されている張設天井板１’が設けられ、該天井板１’に円形又は方形の下降可能な嵌込天井板１を設け、嵌込天井板１の上面中央部に消防ホース巻取ドラム４を遊転自在に支持し、ホース１０の一端には主弁３を介して送水管２を接続する（図１）。
【００１３】
上記嵌込天井板１を張設天井板１’と同一平面内に支持するための引掛金具（ラッチ）５をスラブ２４に設けた機枠６に摺動自在に設け、ホース弛み防止柵１４の上縁フランジ１５’に係合させる。
【００１４】
上記引掛金具５の上記フランジ１５’への引掛りによって嵌込天井板１は張設天井板１’と同一平面に支持され、上記引掛り及び送水管２の主弁３のパイロット弁３’を解除するボーデンワイヤのインナー（可撓ワイヤ７）を室の側壁２５’に設けた操作ハンドル８に接続してなる。ボーデンワイヤのアウターは図９、図１１に示すように両端固定可撓外管２８である。
【００１５】
図２に示すように上記消防ホース巻取ドラム４を嵌込天井板１に遊転自在に支持する中空遊転ボス９を上記ドラム４の中央部に設け、中空遊転ボス９に消防ホース１０の基部を接続し、この遊転ボス９の中空軸受１１に中空多段シリンダー１２、１２’、１２”を伸縮自在に接続し、最上段中空シリンダー１２に送水管２の主弁３を接続し、かつ該多段シリンダー１２、１２’、１２”内にコイル発条１３及び／又は空気緩衝シリンダー１３’を設けることによって下降緩衝装置１３、１３’を形成する。
【００１６】
上記巻取ドラム４の外周にはホース弛み防止柵１４を備えた円形の正逆回動板１５を最下段中空シリンダー１２”の下端に設け、中段及び下段中空シリンダー１２’、１２”を正逆回動自在に支持する。
【００１７】
又図６〜図８に示すように上記嵌込天井板１の上面と上記巻取ドラム４との間に上記送水管２を延長し、該送水管２の位置が上記巻取ドラム４の中心部より偏心し、該送水管２の両端部２’、２’を該巻取ドラム４の外側に上向に屈曲し、屈曲上端を水平方向にさらに屈曲して屈曲両端部２’、２’を機枠６に軸支するものであって、引掛金具５を張設天井板１’側に設けて上記天井設置消火栓を形成することができる。
【００１８】
主弁３には図１２に示すように隔壁１６を介して横向開口部１７を設け、横向開口部１７をダイヤフラム１８で閉鎖し、ダイヤフラム１８の中央部に設けた通水小孔１９を発条（コイルバネ２０）の力で小弁２１で閉鎖し、かつ送水管２に連通する小径通路２２からの背水圧を上記ダイヤフラム１８の背面に印加し、上記小弁２１を上記ボーデンワイヤのインナー７によって発条（コイルバネ２０）に抗して牽引し、上記小弁２１を開くよう形成して主弁３のパイロット弁３’を形成する。
【００１９】
尚図中２５で示すものはノズルホルダー、図３中２６は中空多段シリンダー１２、１２’、１２”の止め段、図５中２７は消火栓操作箱、図９、図１１中２８は上記インナー７の両端固定可撓外管、図１２中２９は発条（コイルバネ２０）より弱い反撥コイルバネ、３０はパイロット弁３’用可撓ワイヤ７’を牽引するための腕、３１は該ワイヤ７’の挿通透孔、３２は該ワイヤ７’の後端に設けたワイヤ牽引板、３３は上記腕３０の往復摺動金具、３４は該金具３３の案内筒で機枠６に設けられている。又図６〜図８中３５は巻取ドラム４の中央部と嵌込天井板１との遊動軸受接続具で巻取ドラム４は遊動自在に設けられている。
【００２０】
【発明の効果】
本発明は上述のように火災初期に消防ホース巻取ドラムを操作ハンドルを操作してボーデンワイヤのインナーを牽引するのみで嵌込天井板と共に空内に下降させ、次にパイロット弁を解除し得て直ちに送水管及び主弁からの送水を上記消防ホースによって送水し、かつ巻取ドラムの遊転によりホースを延長し得て室内、廊下その他ホースの届く初期消火位置（火災発生位置）に多量送水し消火し得る効果がある。
そして消防ホース巻取ドラムを水平にしたまま嵌込天井板と共に中空多段シリンダーで一定水準まで迅速かつ円滑に下降させ四方にホースを延長させることができる。
又上記遊転自在の上記巻取ドラムに巻かれた消防ホースは弛み防止柵によって弛みが防止され円滑な遊転を行うことができる。
さらに送水管を嵌込天井板とこれに遊転自在に支持された上記巻取ドラムとの間の偏心位置に介設され、かつ上記送水管の両端部を中心として上記巻取ドラムを回動下降し、該ドラムを張設天井板から垂直方向に回動下降し得て巻取られた消防ホースを四方に迅速に牽引延長させ得る利点がある。
さらに緊急時操作ハンドルによるボーデンワイヤのインナーの牽引で送水管の主弁開口用のパイロット弁を上記巻取ドラムの天井からの下降と同時に開き迅速にノズルから送水を開始し初期沈火に有効である。
【図面の簡単な説明】
【図１】本発明の天井設置消火栓の下降状態の縦断正面図である。
【図２】巻取消防ホースの中空遊転ボス部分の縦断面図である。
【図３】中空多段シリンダーの縦断面図である。
【図４】中段と下段中空シリンダーの接続部の縦断面図である。
【図５】上記消火栓下降状態の全体図である。
【図６】回動下降形天井設置消火栓の正面図である。
【図７】図６の側面図である。
【図８】図６の平面図である。
【図９】引掛金具の拡大側面図である。
【図１０】消火栓操作箱の内部の正面図である。
【図１１】可撓ワイヤとハンドル着脱部の正面図である。
【図１２】主弁及びパイロット弁の縦断面図である。
【図１３】図６の全体図である。
【図１４】図１３の消火栓回動下降状態全体図である。
【符号の説明】
１      嵌込天井板
１’    張設天井板
２      送水管
３      主弁
３’    パイロット弁
４      消防ホース巻取ドラム
５      引掛金具
６      機枠
７      ボーデンワイヤのインナー
８      操作ハンドル
９      中空遊転ボス
１０      消防ホース
１１      中空軸受
１２、１２’１２”  中空多段シリンダー
１３、１３’  下降緩衝装置
１４      ホース弛み防止柵
１５      正逆回動板
１６      隔壁
１７      横向開口部
１８      ダイヤフラム
１９      通水小孔
２０      発条
２１      小弁
２２      通路
【図１】
0003542644.tif 000002
【図２】
0003542644.tif 000003
【図３】
0003542644.tif 000004
【図４】
0003542644.tif 000005
【図５】
0003542644.tif 000006
【図６】
0003542644.tif 000007
【図７】
0003542644.tif 000008
【図８】
0003542644.tif 000009
【図９】
0003542644.tif 000010
【図１０】
0003542644.tif 000011
【図１１】
0003542644.tif 000012
【図１２】
0003542644.tif 000013
【図１３】
0003542644.tif 000014
【図１４】
0003542644.tif 000015